(57)【特許請求の範囲】
【請求項１】
パネルに対する密着シール部を有する軟質材料製のグロメットアウタを、パネルの貫通孔の周縁に対する係合部を有する硬質材料製のグロメットインナに嵌合してなるグロメットにおいて、
前記グロメットインナに、外周に前記パネルの貫通孔の周縁に対する係合部を有し且つ先端から前記貫通孔に挿入される筒体を設けると共に、該筒体の基端に外フランジを一体に設け、
一方、前記グロメットアウタに、前記パネルに対する密着シール部を有すると共に前記グロメットインナの外フランジが嵌合する袋状の外周部を有した環状のフランジ壁を設け、該フランジ壁の内周端に、内部にワイヤーハーネスを挿通させる筒状部を連結し、前記グロメットインナの筒体内に間隔をあけて挿入される前記筒状部の先端に、前記グロメットインナの筒体の内周に密着することで、グロメットインナの筒体とグロメットアウタの筒状部及びフランジ壁と共に密封空間を形成する外鍔部を設けたことを特徴とするグロメット。
【請求項２】
請求項１記載のグロメットであって、
前記グロメットアウタの筒状部が、ワイヤーハーネスの外周との間に余裕空間を確保する径に形成されており、その筒状部の先端にワイヤーハーネスの外周に密着する環状壁を設けると共に、筒状部の基端にワイヤーハーネスの外周に密着嵌合するワイヤーハーネス嵌合部を設けたことを特徴とするグロメット。
【請求項３】
請求項２記載のグロメットであって、
前記筒状部の基端に蛇腹管を延設し、その蛇腹管の端部に前記ワイヤーハーネス嵌合部を設けたことを特徴とするグロメット。
【発明の詳細な説明】
【０００１】
【発明の属する技術分野】
本発明は、硬質材料製のグロメットインナと軟質材料製のグロメットアウタを組み合わせた２部品構造のグロメットに係り、特に、遮音性を高めたグロメットに関する。
【０００２】
【従来の技術】
車両パネルに対して簡単に着脱できるようにしたグロメットとして、パネルの貫通孔周縁に対する係合部分を硬質の樹脂で形成し、その硬質樹脂で形成したグロメットインナを、ゴム等の軟質材料で形成したグロメットアウタに嵌合した２部品構造のグロメットが知られている。このグロメットは、通常のゴムのみのグロメットに比べて、脱着作業性が良好であるという利点をもつ。
【０００３】
図５は特開平６−３４９３６６号公報に記載された２部品構造のグロメットを示す断面図である。このグロメット１は、ゴム（軟質材料）製のグロメットアウタ２と、硬質樹脂製のグロメットインナ３とを組み合わせたもので、グロメットインナ３の係合部６によってパネルＰの貫通孔Ｐａの周縁に取り付けられる。グロメットアウタ２には、パネルＰの表面に圧接する密着シール部４と、ワイヤーハーネスＷの外周に密着嵌合するワイヤーハーネス嵌合部５とが設けれられており、グロメットインナ３をパネルＰに固定することによって、ワイヤーハーネスＷのパネル貫通部をグロメット１でシールする。
【０００４】
【発明が解決しようとする課題】
ところで、グロメットは、例えば自動車のダッシュパネルに取り付けて使用するような場合、エンジンルームからの音が車室内に入り込まないようにするために特に遮音性が要求されるが、従来のこの種のアウタとインナの２部品構造のグロメット１では、十分な遮音性（透過音遮断性能）が確保されるまでには至っていなかった。
【０００５】
一般に、図６に示すようなゴムのみでできたグロメット１１の場合、グロメット１１の軸方向両端にワイヤーハーネスに密着嵌合するワイヤーハーネス嵌合部１４，１５を設け、パネルＰの貫通孔Ｐａに対する嵌着溝１３を有するグロメット１１の大径部分１２に密封空間１６を確保し、その密封空間１６により、グロメット１１を通しての透過音を遮断する技術が知られているが、この技術をそのまま、軟質と硬質の２部品構造のグロメットに適用することは困難であった。
【０００６】
本発明は、上記事情を考慮し、遮音性を高めた硬質と軟質の２部品構造のグロメットを提供することを目的とする。
【０００７】
【課題を解決するための手段】
請求項１の発明は、パネルに対する密着シール部を有する軟質材料製のグロメットアウタを、パネルの貫通孔の周縁に対する係合部を有する硬質材料製のグロメットインナに嵌合してなるグロメットにおいて、前記グロメットインナに、外周にパネルの貫通孔の周縁に対する係合部を有し且つ先端から前記貫通孔に挿入される筒体を設けると共に、該筒体の基端に外フランジを一体に設け、一方、前記グロメットアウタに、パネルに対する密着シール部を有すると共に前記グロメットインナの外フランジが嵌合する袋状の外周部を有した環状のフランジ壁を設け、該フランジ壁の内周端に、内部にワイヤーハーネスを挿通させる筒状部を連結し、前記グロメットインナの筒体内に間隔をあけて挿入される前記筒状部の先端に、前記グロメットインナの筒体の内周に密着することで、グロメットインナの筒体とグロメットアウタの筒状部及びフランジ壁と共に密封空間を形成する外鍔部を設けたことを特徴とする。
【０００８】
この発明では、グロメットアウタのフランジ壁の前部に密封空間（空気層）を確保することができるので、グロメットを通しての透過音の減少（遮音性の向上）を図ることができる。また、グロメットアウタの筒状部とグロメットインナの筒体との間に空気層（間隙）を確保することができるので、軟質材料製のグロメットアウタの柔軟性を、全く損なうことなく、十分に発揮させることができる。従って、取り付け作業性向上のために硬質材料製のグロメットインナを用いてパネル貫通孔に装着するものの、ワイヤーハーネスに対する拘束力を小さく抑えながら（高い柔軟性を備えながら）、ワイヤーハーネスのパネル貫通部のシール性と遮音性を高めることができる。
【０００９】
請求項２の発明は、請求項１記載のグロメットであって、前記グロメットアウタの筒状部が、ワイヤーハーネスの外周との間に余裕空間を確保する径に形成されており、その筒状部の先端にワイヤーハーネスの外周に密着する環状壁を設けると共に、筒状部の基端にワイヤーハーネスの外周に密着嵌合するワイヤーハーネス嵌合部を設けたことを特徴とする。
【００１０】
この発明では、ワイヤーハーネスの外周に筒状部を直接密着嵌合するのではなく、筒状部とワイヤーハーネスの外周との間に余裕空間を確保するので、ワイヤーハーネスの十分な屈曲性を維持しながら、グロメットの遮音性を保つことができる。
【００１１】
請求項３の発明は、請求項２記載のグロメットであって、前記筒状部の基端に蛇腹管を延設し、その蛇腹管の端部に前記ワイヤーハーネス嵌合部を設けたことを特徴とする。
【００１２】
この発明では、グロメットアウタの筒状部の基端側に蛇腹管を延長し、その端部にワイヤーハーネス嵌合部を設けたので、ワイヤーハーネスの軸線方向変位を許容しながら、グロメットによるシール性と遮音性を保持することができる。
【００１３】
【発明の実施の形態】
以下、本発明の実施形態を図面に基づいて説明する。
【００１４】
図１は実施形態のグロメットの使用状態を示す断面図、図２は図１の状態のグロメットに引っ張り外力が作用したときの状態を示す断面図である。また、図３は実施形態のグロメットを構成するグロメットアウタの構成図で、（ａ）は正面図、（ｂ）は（ａ）図のＩＩＩｂ−ＩＩＩｂ矢視断面図、図４は実施形態のグロメットを構成するグロメットインナの構成図で、（ａ）は正面図、（ｂ）は側面図、（ｃ）は（ａ）図のＩＶｃ−ＩＶｃ矢視断面図である。
【００１５】
このグロメット５０は、図１に示すように、パネルＰに対する密着シール部（シールリップ等）６３を有する軟質材料（ゴム）製のグロメットアウタ６０を、パネルＰの貫通孔Ｐａの周縁に対する係合部７５〔図４（ａ），（ｂ）参照〕を有する硬質材料製（例えば樹脂製）の半割り構造のグロメットインナ７０に嵌合してなるものである。
【００１６】
グロメットインナ７０には、図４に示すように、外周にパネルＰの貫通孔Ｐａの周縁に対する係合部７５を有し且つ先端から貫通孔Ｐａに挿入される二重壁構造の筒体７２が設けられ、この筒体７２の基端には、略Ｓ字形断面の外フランジ７１が一体に設けられている。
【００１７】
一方、グロメットアウタ６０には、図３に示すように、前記密着シール部６３を有すると共にグロメットインナ７０の外フランジ７１が嵌合する袋状の外周部６１ａを有した環状のフランジ壁６１が設けられている。グロメットアウタ６０とグロメットインナ７０は、図１に示すように、グロメットアウタ６０の外フランジ６１の外周部をグロメットインナ７０のフランジ壁６１の外周部６１ａに設けられた嵌合溝６２に嵌めることで、一体に組み合わされている。
【００１８】
グロメットアウタ７０のフランジ壁６１の内周端には、内部にワイヤーハーネスＷを挿通させる筒状部６５が一体に連結されている。グロメットインナ７０の筒体７２内に間隔をあけて挿入される筒状部６５の先端には、グロメットインナ７０の筒体７２の内周に密着することで、グロメットインナ７０の筒体７２とグロメットアウタ６０の筒状部６５及びフランジ壁６１と共に密封空間８１を形成する外鍔部６６が一体に設けられている。
【００１９】
また、グロメットアウタ６０の筒状部６５は、ワイヤーハーネスＷの外周との間に余裕空間８２を確保できる程度の大きめの径に形成されており、その筒状部６５の先端には、内周端をワイヤーハーネスＷの外周に密着させる環状壁６７が設けられている。また、筒状部６５の基端には蛇腹管６８が延設され、その蛇腹管６８の端部に、ワイヤーハーネスＷの外周に密着嵌合するワイヤーハーネス嵌合部６９が設けられている。
【００２０】
なお、密封空間８１を確実に作れるように、グロメットアウタ６０の外鍔部６６の外径Ｄとグロメットインナ７０の筒体７２の内径Ｄ１の関係がＤ≧Ｄ１に設定され、グロメットアウタ６０のフランジ壁６１から外鍔部６６までの距離Ｌとグロメットインナ７０の筒体７１の長さＬ１がＬ＜Ｌ１に設定されている。
【００２１】
次に作用を説明する。
【００２２】
このグロメット５０を使用する場合は、まず、ワイヤーハーネスＷをグロメットアウタ６０に挿通すると共に、グロメットアウタ６０にグロメットインナ７０を嵌合する。そして、図１の右側からパネルＰの貫通孔Ｐａに対してワイヤーハーネスＷを挿通させると共に、グロメットインナ７０の筒体７２の先端をパネルＰの貫通孔Ｐａに通す。筒体７２の外周に設けた係合部７５（図４参照）を弾性変形させながら筒体７２を貫通孔Ｐａに挿入していくと、あるところで係合部７５が弾性復元して貫通孔Ｐａの周縁部に係合する。この状態で、グロメットアウタ６０の密着シール部６３がパネルＰの表面に密着し、グロメット５０によって貫通孔Ｐａがシールされる。
【００２３】
このとき、図１に示すように、グロメットアウタ６０の筒状部６５の先端に設けた外鍔部６６が、グロメットインナ７０の筒体７２の内周に密着することで、グロメットインナ７０の筒体７２とグロメットアウタ６０の筒状部６５及びフランジ壁６１と共に密封空間（空気層）８１を形成する。従って、この密封空間８１がフランジ壁６１の前側に確保されることによって、グロメット５０を通しての透過音の減少（遮音性の向上）が図られる。
【００２４】
また、グロメットアウタ６０の筒状部６５とグロメットインナ７０の筒体７２との間に空間（間隙）８１が確保されることにより、軟質材料製のグロメットアウタ６０の柔軟性を、全く損なうことなく、十分に発揮させることができる。従って、取り付け時の利便性を発揮する硬質材料製のグロメットインナ７０を用いてパネルＰの貫通孔Ｐａに装着するものの、ワイヤーハーネスＷに対する拘束力を小さく抑えながら（高い柔軟性を備えながら）、ワイヤーハーネスＷのパネル貫通部のシール性と遮音性を高めることができる。
【００２５】
また、ワイヤーハーネスＷの外周にグロメットアウタ６０の筒状部６５を直接密着嵌合するのではなく、筒状部６５とワイヤーハーネスＷの外周との間に密封された余裕空間８２が確保されるので、ワイヤーハーネスＷの十分な屈曲性を維持しながら、グロメット５０の遮音性を保つことができる。特に、このグロメット５０の場合、グロメットアウタ６０の筒状部６５の基端側に蛇腹管６８を延長し、その端部にワイヤーハーネス嵌合部６９を設けているから、ワイヤーハーネスＷの軸線方向の変位を許容しながら、グロメット５０によるシール性と遮音性を保持することができる。
【００２６】
また、図２に示すように、ワイヤーハーネスＷに引っ張られてグロメットアウタ６０が変形した場合にも、外鍔部６６の先端がグロメットインナ７０の筒体７２の内周面に密着するようになっているので、遮音性能が落ちることはない。
【００２７】
【発明の効果】
以上説明したように、請求項１の発明によれば、グロメットアウタの筒状部の先端にグロメットインナの筒体の内周に密着する外鍔部を設けたので、グロメットアウタのフランジ壁の前部に密封空間（空気層）を確保することができ、その密封空間が存在することにより、グロメットを通しての透過音の減少（遮音性の向上）を図ることができる。従って、ダッシュパネルのワイヤーハーネス貫通部にこのグロメットを使用した場合、エンジンルームから車室内への透過音の減少を図ることができる。
【００２８】
請求項２の発明によれば、請求項１の発明の効果に加えて、グロメットアウタの筒状部とワイヤーハーネスの外周との間に余裕空間を確保するので、ワイヤーハーネスの十分な屈曲性を維持しながら、グロメットの遮音性を保つことができる。
【００２９】
請求項３の発明によれば、請求項２の発明の効果に加えて、グロメットアウタの筒状部の基端側に蛇腹管を延長し、その端部にワイヤーハーネス嵌合部を設けたので、ワイヤーハーネスの軸線方向変位を許容しながら、グロメットによるシール性と遮音性を保持することができる。
【図面の簡単な説明】
【図１】本発明の実施形態のグロメットの使用状態を示す断面図である。
【図２】図１の状態のグロメットに引っ張り外力が作用したときの状態を示す断面図である。
【図３】本発明の実施形態のグロメットを構成するグロメットアウタの構成図で、（ａ）は正面図、（ｂ）は（ａ）図のＩＩＩｂ−ＩＩＩｂ矢視断面図である。
【図４】本発明の実施形態のグロメットを構成するグロメットインナの構成図で、（ａ）は正面図、（ｂ）は側面図、（ｃ）は（ａ）図のＩＶｃ−ＩＶｃ矢視断面図である。
【図５】従来の硬質と軟質の２部品構造のグロメットの断面図である。
【図６】従来のゴムのみで構成したグロメットの断面図である。
【符号の説明】
５０  グロメット
６０  グロメットアウタ
６１  フランジ壁
６１ａ  外周部
６３  密着シール部
６５  筒状部
６６  外鍔部
６７  環状壁
６８  蛇腹管
６９  ワイヤーハーネス嵌合部
７０  グロメットインナ
７１  外フランジ
７２  筒体
８１  密封空間
８２  余裕空間
Ｐ  パネル
Ｐａ  貫通孔
Ｗ  ワイヤーハーネス
【図１】
0003820367.tif 000002
【図２】
0003820367.tif 000003
【図３】
0003820367.tif 000004
【図４】
0003820367.tif 000005
【図５】
0003820367.tif 000006
【図６】
0003820367.tif 000007